(57)【要約】【課題】視聴可能時間内において最適な視聴順序で視聴するコンテンツを提示する。【解決手段】複数のコンテンツのそれぞれに対して設定された優先度と、設定された視聴可能時間とに基づいて、当該視聴可能時間内における上記コンテンツのそれぞれの視聴順序を決定する視聴順序決定部（２４）と、決定された上記視聴順序を表示する表示制御部（２５）と、を備えている。【選択図】図１
2017184066.tif 000002
【特許請求の範囲】
【請求項１】
複数のコンテンツのそれぞれに対して設定された優先度と、設定された視聴可能時間とに基づいて、当該視聴可能時間内における上記コンテンツのそれぞれの視聴順序を決定する視聴順序決定部と、
決定された上記視聴順序を表示する表示制御部と、を備えていることを特徴とする表示制御装置。
【請求項２】
上記視聴順序決定部は、上記複数のコンテンツのそれぞれが視聴可能となる時期に基づいて、上記視聴可能時間内における上記コンテンツのそれぞれの視聴順序を決定することを特徴とする請求項１に記載の表示制御装置。
【請求項３】
上記視聴順序決定部は、上記コンテンツの優先度が高いもの程、上記視聴順序を早くし、上記コンテンツの視聴が可能となる時期が早いもの程、上記視聴順序を早くすることを特徴とする請求項２に記載の表示制御装置。
【請求項４】
上記複数のコンテンツのそれぞれの長さの合計が、上記視聴可能時間を超えるか否かを判定する判定部と、
上記長さの合計が上記視聴可能時間を超えると判定された場合に、上記視聴可能時間内に収まらない少なくとも１つのコンテンツの長さを短縮化する処理を行う短縮化処理部と、を備えていることを特徴とする請求項１から３までの何れか１項に記載の表示制御装置。
【請求項５】
上記視聴可能時間を設定する視聴可能時間設定部を備えていることを特徴とする請求項１から４までの何れか１項に記載の表示制御装置。
【請求項６】
上記複数のコンテンツのそれぞれの優先度を設定する優先度設定部を備えていることを特徴とする請求項１から５までの何れか１項に記載の表示制御装置。
【請求項７】
請求項１から６までの何れか１項に記載の表示制御装置であることを特徴とするデジタル放送受信機。
【請求項８】
請求項１に記載の表示制御装置としてコンピュータを機能させるための制御プログラムであって、上記視聴順序決定部および上記表示制御部としてコンピュータを機能させるための制御プログラム。
【請求項９】
請求項８に記載の制御プログラムを記録したコンピュータ読み取り可能な記録媒体。
【請求項１０】
複数のコンテンツのそれぞれに対して設定された優先度と、設定された視聴可能時間とに基づいて、当該視聴可能時間内における上記コンテンツのそれぞれの視聴順序を決定する視聴順序決定ステップと、
決定された上記視聴順序を表示する表示制御ステップと、を含んでいることを特徴とする表示制御装置の制御方法。
【発明の詳細な説明】
【技術分野】
【０００１】
本発明は、表示制御装置およびその制御方法、デジタル放送受信機、制御プログラム、ならびに制御プログラムを記録したコンピュータ読み取り可能な記録媒体に関する。
【背景技術】
【０００２】
近年、ＴＶ（Television）放送コンテンツをリアルタイムでは視聴せずに録画して後で視聴するスタイルが定着してきている。また、ＶＯＤ（Video ON Demand）コンテンツといった配信サービスを利用するスタイルも目立ってきている。一方、インターネットやＳＮＳ（Social Network Service）の普及により、リアルタイムでコンテンツについての現在のトレンドをいち早く入手でき、自身が興味のあるコンテンツは話題性のあるうちにすべて見切りたいという要求がある。
【０００３】
特許文献１には、放送番組および蓄積コンテンツから、ユーザが見るべきコンテンツを推薦する視聴推薦装置が開示されている。この装置は、現在よりも未来に放送される番組ごとに第１の番組情報を取得する取得手段と、過去に放送された番組ごとに第２の番組情報を対応付けて番組を蓄積している蓄積手段と、上記第１の番組情報および上記第２の番組情報に応じて、どの程度早く視聴すべきかを示す緊急度を番組ごとに計算する緊急度計算手段と、上記取得した番組情報に対応する番組と、上記蓄積されている番組とのうちから、上記緊急度の大きさに基づいて、視聴すべき番組の推薦リストを提示する提示手段を具備している。
【先行技術文献】
【特許文献】
【０００４】
【特許文献１】特開２００７−７４５４５号公報（２００７年３月２２日公開）
【発明の概要】
【発明が解決しようとする課題】
【０００５】
ところで、１日の視聴時間が限られているユーザは、多数のコンテンツを視聴する時間が取れないことが多い。このため、録画しても視聴しないＴＶ放送録画コンテンツ、配信されても視聴できないＶＯＤコンテンツが出てきたり、各コンテンツを視聴する時期が遅くなったりする場合がある。上記特許文献１の視聴推薦装置は、１日の視聴時間が限られているユーザに、最適な視聴順序で、その日に視聴するコンテンツを提示するという観点については何も考慮されていない。
【０００６】
本発明は、上記の問題点に鑑みてなされたものであり、その目的は、視聴可能時間内において最適な視聴順序で視聴するコンテンツを提示することができる表示制御装置などを実現することにある。
【課題を解決するための手段】
【０００７】
上記の課題を解決するために、本発明の一態様に係る表示制御装置は、複数のコンテンツのそれぞれに対して設定された優先度と、設定された視聴可能時間とに基づいて、当該視聴可能時間内における上記コンテンツのそれぞれの視聴順序を決定する視聴順序決定部と、決定された上記視聴順序を表示する表示制御部と、を備えていることを特徴とするとしている。
【０００８】
また、上記の課題を解決するために、本発明の一態様に係る表示制御装置の制御方法は、複数のコンテンツのそれぞれに対して設定された優先度と、設定された視聴可能時間とに基づいて、当該視聴可能時間内における上記コンテンツのそれぞれの視聴順序を決定する視聴順序決定ステップと、決定された上記視聴順序を表示する表示制御ステップと、を含んでいることを特徴としている。
【発明の効果】
【０００９】
本発明の一態様によれば、視聴可能時間内において最適な視聴順序で視聴するコンテンツを提示することができるという効果を奏する。
【図面の簡単な説明】
【００１０】
【図１】本発明の実施の一形態に係るデジタル放送受信機（表示制御装置）の構成を示すブロック図である。
【図２】上記デジタル放送受信機の外観を示す図である。
【図３】上記デジタル放送受信機の特徴的な動作の流れを示すフローチャートである。
【図４】上記デジタル放送受信機に関し、視聴予定コンテンツ表示画面の一例を示す図である。
【図５】上記視聴予定コンテンツ表示画面を生成するためのアルゴリズムを説明するための図である。
【図６】視聴可能時間の設定を変更することで、上記視聴予定コンテンツ表示画面における各コンテンツの配置が変更される様子を示す図である。
【図７】特定のコンテンツの優先度を変更することで、上記視聴予定コンテンツ表示画面における各コンテンツの配置が変更される様子を示す図である。
【図８】ＴＶ放送コンテンツの録画予約時において、コンテンツの優先度を設定する場合の設定画面の変化を示す図である。
【図９】ＶＯＤコンテンツの視聴予約時において、コンテンツ（配信開始済み）の優先度を設定する場合の設定画面の変化を示す図である。
【図１０】ＶＯＤの視聴予約時において、コンテンツ（未配信）の優先度を設定する場合の設定画面の変化を示す図である。
【発明を実施するための形態】
【００１１】
本発明の実施の形態について図１〜図１０に基づいて説明すれば、次の通りである。以下、説明の便宜上、特定の項目にて説明した構成と同一の機能を有する構成については、同一の符号を付記し、その説明を省略する場合がある。
【００１２】
〔デジタル放送受信機１０の構成〕
まず、図１および２に基づき、本発明の実施の一形態に係るデジタル放送受信機（表示制御装置）１０について説明する。図１は、デジタル放送受信機１０の構成を示すブロック図である。図２は、デジタル放送受信機１０の外観を示す図である。図２は、デジタル放送受信機１０として、レコーダ（またはセットトップボックス）を外付けディスプレイに接続して利用している図を示している。なお、デジタル放送受信機１０は、ディスプレイと一体のテレビであっても良い。
【００１３】
図１に示すように、デジタル放送受信機１０は、入力部１、制御部２、表示部３、記憶部４、通信部５、およびチューナー６を備えている。
【００１４】
入力部１は、デジタル放送受信機１０へのユーザ入力を行うインターフェースである。入力部１は、操作キーまたはタッチパネル等から成る。また、入力部１は、リモコンを介してユーザの入力を受付けても良い。ユーザは、入力部１を操作して、デジタル放送受信機１０を操作する。このとき、例えば表示部３に表示された情報を見ながら操作してもよい。
【００１５】
制御部２は、デジタル放送受信機１０の各ブロックを統括的に制御するものである。
【００１６】
表示部３は、表示制御部２５の制御に従って画像等の情報を表示するものである。表示部３には、例えば液晶パネルが使用される。但し、表示部３に使用される表示パネルは、液晶パネルに限定されるものではなく、有機ＥＬ（エレクトロルミネッセンス）パネル、無機ＥＬパネル、およびプラズマパネル等であってもよい。
【００１７】
記憶部４は、デジタル放送受信機１０で使用するデータを記憶するものである。例えば、記憶部４には、ＴＶ放送コンテンツの録画データ、ＴＶ放送コンテンツの録画予約に係るデータ、ＶＯＤコンテンツの視聴予約に係るデータ、視聴可能時間、各コンテンツが視聴可能となった時期、および各コンテンツに設定される優先度などの各種情報が記録される。なお、上記各コンテンツの録画データの保存先としては、記憶部４の他、内蔵ＨＤＤ（Hard Disk Drive）、外付けＨＤＤ、ならびに、ＤＶＤおよびＢＤなどの記憶メディアを例示することができる。
【００１８】
また、ＴＶ放送コンテンツの例としては、地上デジタル放送、ＢＳデジタル放送、ＣＳデジタル放送、ケーブルテレビ、ＩＰＴＶ（Internet Protocol Television）、インターネットＴＶなどを例示することができる。
【００１９】
通信部５は、ＩＰＴＶ、インターネットＴＶおよびＶＯＤコンテンツを受信するものである。
【００２０】
チューナー６は、地上デジタル放送、ＢＳデジタル放送、ＣＳデジタル放送、およびケーブルテレビを受信するものである。
【００２１】
次に、制御部２の構成の詳細について説明する。図１に示すように、制御部２は、入力制御部２１、視聴可能時間設定部２２、優先度設定部２３、視聴順序決定部２４、表示制御部２５、録画予約管理部２６、視聴予約管理部２７、短縮化処理部２８、判定部２９、通信制御部３０、およびチューナー制御部３１の各制御ブロックを有している。
【００２２】
入力制御部２１は、入力部１を介したユーザ入力結果を情報処理可能な入力情報に変換する機能を有するものである。
【００２３】
視聴可能時間設定部２２は、後述する視聴可能時間を設定する制御を行うものである。
【００２４】
優先度設定部２３は、後述する各コンテンツの優先度を設定する制御を行うものである。
【００２５】
視聴順序決定部２４は、複数のコンテンツのそれぞれに対して設定された優先度と、設定された視聴可能時間とに基づいて、当該視聴可能時間内における上記コンテンツのそれぞれの視聴順序を決定するものである。また、視聴順序決定部２４は、複数のコンテンツのそれぞれが視聴可能となる時期に基づいて、上記視聴可能時間内における上記コンテンツのそれぞれの視聴順序を決定する。また、視聴順序決定部２４は、上記コンテンツの優先度が高いもの程、上記視聴順序を早くし、上記コンテンツの視聴が可能となる時期が早いもの程、上記視聴順序を早くする。
【００２６】
表示制御部２５は、表示部３に映像や情報を表示させる制御を行うものであり、主として、視聴順序決定部２４で決定された上記視聴可能時間内における上記コンテンツのそれぞれの視聴順序を表示する制御を行う。
【００２７】
録画予約管理部２６は、放送番組（ＴＶ放送コンテンツ）の録画予約情報を管理するものである。
【００２８】
視聴予約管理部２７は、ＶＯＤコンテンツの配信状況や視聴予約情報を管理するものである。
【００２９】
次に、短縮化処理部２８および判定部２９について説明する。判定部２９は、複数のコンテンツのそれぞれの長さの合計が、視聴可能時間を超えるか否かを判定するものである。短縮化処理部２８は、上記長さの合計が上記視聴可能時間を超えると判定された場合に、上記視聴可能時間内に収まらない少なくとも１つのコンテンツの長さを短縮化する処理を行うものである。ここで、「コンテンツの長さを短縮化する処理」には、ＴＶ放送録画コンテンツをダイジェスト化したり、ＶＯＤコンテンツの場合は、冒頭数分のみ再生対象としたり、最初のチャプターのみを再生対象としたりする処理が含まれる。
【００３０】
通信制御部３０は、通信部５を介して受信した放送波から、選局されたチャンネルの映像信号および音声信号を抽出するものである。
【００３１】
チューナー制御部３１は、チューナー６を介して受信した放送波から、選局されたチャンネルの映像信号および音声信号を抽出するものである。
【００３２】
〔デジタル放送受信機１０の特徴的な動作の流れ〕
次に、図３に基づき、デジタル放送受信機１０の特徴的な動作の流れについて説明する。図３は、デジタル放送受信機１０の特徴的な動作の流れを示すフローチャートである。ここでは、視聴予定コンテンツ表示画面における各コンテンツの配置方法について説明する。
【００３３】
ステップＳ（以下、「ステップ」は省略する）１では、視聴順序決定部２４が、録画予約または視聴予約したコンテンツから最高優先度を取得してＳ２に進む。
【００３４】
Ｓ２では、視聴順序決定部２４が、最低優先度のコンテンツ配置が完了済みか否かを確認し、配置完了済みでない場合（ＮＯ）、Ｓ３に進む。一方、配置完了済みの場合（ＹＥＳ）、動作を終了する。
【００３５】
Ｓ３では、視聴順序決定部２４が、現在の優先度のコンテンツをすべて視聴可能時間内に配置可能か否かを確認し、配置可能でない場合（ＮＯ）、Ｓ４に進む。一方、配置可能な場合（ＹＥＳ）、Ｓ５に進む。
【００３６】
Ｓ４では、短縮化処理部２８が、現在の優先度以下のコンテンツのすべてをダイジェスト化して配置する。
【００３７】
Ｓ５では、視聴順序決定部２４は、現在の優先度のコンテンツを順に配置し、Ｓ６に進む。
【００３８】
Ｓ６では、優先度を１つ（１段階）下げて、Ｓ２に戻る。以上のような処理を実行することで、例えば、図４に示すような視聴予定コンテンツ表示画面が得られる。図４は、視聴予定コンテンツ表示画面の一例を示す図である。
【００３９】
〔視聴予定コンテンツ表示画面を生成するためのアルゴリズム〕
次に、図５に基づき、視聴予定コンテンツ表示画面を生成するためのアルゴリズムについて説明する。図５は、視聴予定コンテンツ表示画面を生成するためのアルゴリズムを説明するための図である。下記のアルゴリズムは、後述するように、（イ）特定のコンテンツの優先度が登録された時点、（ロ）特定のコンテンツの優先度が変更された時点、（ハ）視聴可能時間の設定が変更された時点、（ニ）録画予約がされた時点、（ホ）コンテンツの録画が終了した時点、（へ）日付が変わるタイミングなどのそれぞれのタイミングで実行される。
【００４０】
まず、１日に視聴可能な時間を、ｉ日目に対してＴｉ時間（例えば２時間）とする。図５の（ａ）に、Ｔｉ＝２時間の場合の視聴可能時間の例を示す。同図に示す縦軸は、録画時間（Ｈ）を示しており、横軸は、曜日を示している。
【００４１】
まず、ＴＶ放送コンテンツ、およびＶＯＤコンテンツには、それぞれ優先度を付与する。優先度は、例えば、ＴＶ放送コンテンツの場合は録画予約時に、ＶＯＤコンテンツの場合は視聴予約時にユーザに設定させてもよいし、ユーザの嗜好から自動的に設定しても良い。
【００４２】
次に、コンテンツを視聴する一定期間をＷ日（例えば７日）とする。図５の（ａ）に、Ｗ＝７日の場合の視聴可能時間の例を示す。また、Ｗ日に視聴可能な時間の合計を以下ではＳＵＭ（Ｔｉ，ｉ＝１〜Ｗ）と記載する。
【００４３】
（１）優先度の高い順に、Ｔｉ時間を超えない範囲、かつ録画予定日（ＶＯＤコンテンツの場合はコンテンツ配信開始日）より前にならないように視聴予定コンテンツの視聴順序を設定していく。この際、優先度が同じであれば、ＴＶ放送録画コンテンツの場合は先に録画する予定のものを優先して提示し、ＶＯＤコンテンツの場合は配信開始日時が先のものを優先して提示する。
【００４４】
（２）１つの優先度に対して、上記（１）の処理を完了した際、
（ａ）上記（１）で設定したコンテンツの時間＜ＳＵＭ（Ｔｉ，ｉ＝１〜Ｗ）となり、余裕がある場合は１段階下の優先度に対して優先度が最低になるまで上記（１）の処理を再度実施する。
（ｂ）上記（１）で設定したコンテンツの時間＞＝ＳＵＭ（Ｔｉ，ｉ＝１〜Ｗ）となり、余裕がない場合は溢れた分をＴＶ放送録画コンテンツの場合は、例えば既存のコンテンツダイジェスト化技術を使用してＳＵＭ（Ｔｉ，ｉ＝１〜Ｗ）時間内に収まるようにし、ダイジェスト化する予定の視聴コンテンツを空いている時間に埋めていく。ＶＯＤコンテンツの場合は、例えば冒頭数分のみ再生対象としたり、チャプター毎の視聴時間が取得できるような場合は最初のチャプターのみを再生対象としたりしてＳＵＭ（Ｔｉ，ｉ＝１〜Ｗ）時間内に収まるようにし、視聴コンテンツを空いている時間に埋めていく。全て配置が完了した時点で終了する（すべてのコンテンツの視聴順序が決定される）。
【００４５】
図５の（ｂ）は、ＴＶ放送録画コンテンツの録画状態を示す図である。同図の縦軸は、録画時間（Ｈ）を示し、横軸は、曜日を示している。同図に示すように、日曜日、月曜日、水曜日、木曜日、金曜日および土曜日のそれぞれにおける録画時間の合計は、７時間、２時間、３時間、１時間、２時間および１時間となっている。また、それぞれの録画時間に対応するコンテンツには、高、中、低の３段階の優先度を付している。１週間単位の各コンテンツの録画時間の合計は、１６時間であり、図５の（ａ）に示す視聴可能時間の１４時間を超えている。
【００４６】
次に、図５の（ｃ）は、図５の（ｂ）に示す録画状況に基づき、ＴＶ放送録画コンテンツの視聴予定のスケジューリングを行う処理の流れを示す図である。
【００４７】
Ｓｔｅｐ１では、録画した番組から優先度「高」の番組を配置する。この際、Ｎ日は、Ｎ−１日に録画した番組を視聴するようにスケジューリングを行う。なお、本実施形態では、Ｎ−１日に録画した番組をＮ日に視聴する形態について説明したが、このような形態に限らず、ある日の午前中に録画した番組をその日の午後に視聴するような形態を採用しても良い。
【００４８】
次に、Ｓｔｅｐ２では、録画した番組から優先度「中」の番組を配置する。具体的には、Ｓｔｅｐ１で空いた時間に埋めていく。この際、先に録画する予定のものを優先して提示する。
【００４９】
次に、Ｓｔｅｐ３では、録画した番組から優先度「低」の番組を配置する。配置する番組の合計時間は、３時間であり、残りの視聴可能時間の１時間（土曜日）を超えている。そこで、これらの３つの番組のそれぞれをダイジェスト化（短縮化）し、３番組を残りの視聴可能時間の１時間に収まるように圧縮して、Ｓｔｅｐ２で空いた時間（土曜日の残りの１時間）を埋める。
【００５０】
〔デジタル放送受信機１０の動作のまとめ〕
上記に示した形態では、１日あたりの視聴可能な時間に対して、コンテンツの時間の長さ、コンテンツに付与する優先度、および一定期間の録画予約の予定から、その日視聴する最適なコンテンツを提示するアルゴリズムを提供する。この際、時間があふれる場合、ＴＶ放送録画コンテンツをダイジェスト化したり、ＶＯＤコンテンツのチャプターを部分的に組み込んだりして、視聴可能時間内に収まるようにコンテンツを提示する。これにより、１日の視聴時間が限られているユーザであっても、一定期間内に録画したＴＶ放送録画コンテンツ、ＶＯＤコンテンツを見逃すことがなく視聴することができる。
【００５１】
より具体的には、デジタル放送受信機１０では、視聴順序決定部２４が、複数のコンテンツ（ＴＶ放送録画コンテンツまたはＶＯＤコンテンツ）のそれぞれに対して設定された優先度と、設定された視聴可能時間とに基づいて、当該視聴可能時間内における上記コンテンツのそれぞれの視聴順序を決定する。また、表示制御部２５は、決定された上記視聴順序を表示する。
【００５２】
これにより、視聴可能時間内におけるコンテンツのそれぞれの視聴順序が、各コンテンツに対して設定された優先度と、ユーザの視聴可能時間とに基づいて決定される。このため、視聴可能時間内において最適な視聴順序を決定することができる。また、上記構成によれば、決定された視聴可能時間内におけるコンテンツのそれぞれの視聴順序が表示される。このため、視聴可能時間内において最適な視聴順序で視聴するコンテンツを提示することができる。
【００５３】
また、視聴順序決定部２４は、複数のコンテンツのそれぞれが視聴可能となる時期に基づいて、上記視聴可能時間内における上記コンテンツのそれぞれの視聴順序を決定する。これにより、各コンテンツに対して設定された優先度に加えて、各コンテンツが視聴可能となる時期に応じて、最適な視聴順序が決定される。
【００５４】
さらに、視聴順序決定部２４は、上記コンテンツの優先度が高いもの程、上記視聴順序を早くし、上記コンテンツの視聴が可能となる時期が早いもの程、上記視聴順序を早くする。これにより、各コンテンツに対して設定された優先度に加えて、各コンテンツが視聴可能となる時期に応じて最適な視聴順序が決定される。
【００５５】
また、判定部２９は、上記複数のコンテンツのそれぞれの長さの合計が、上記視聴可能時間を超えるか否かを判定する。次に、短縮化処理部２８は、上記長さの合計が上記視聴可能時間を超えると判定された場合に、上記視聴可能時間内に収まらない少なくとも１つのコンテンツの長さを短縮化する処理を行う。これにより、視聴可能時間内に収まらない少なくとも１つのコンテンツの長さが短縮化される。このため、複数のコンテンツのそれぞれの長さの合計が、視聴可能時間を超える場合でも、視聴可能時間内にコンテンツのすべてを視聴することが可能になる。
【００５６】
〔視聴可能時間の設定〕
次に、図６に基づき、視聴可能時間設定部２２によって視聴可能時間の設定を変更する場合に、表示部３に表示される視聴予定コンテンツ表示画面の状態の遷移について説明する。まず、図６の（ａ）に示す視聴予定コンテンツ表示画面において、２／２２（月）の列をクリックすると、図６の（ｂ）に示すように、視聴可能時間設定画面がポップアップ表示される。
【００５７】
図６の（ｂ）で、２／２２（月）の視聴可能時間の設定を「１’３０」から「１’００」に変更すると、図６の（ｃ）に示すように視聴可能時間設定画面の表示が変更される。
【００５８】
次に、上述したアルゴリズムが実行されて、図６の（ｄ）に示すように、視聴予定コンテンツ表示画面における各コンテンツの視聴順序が再配置される。
【００５９】
〔優先度の設定〕
次に、図７に基づき、優先度設定部２３によって特定のコンテンツの優先度を変更する場合に、表示部３に表示される視聴予定コンテンツ表示画面の状態の遷移について説明する。まず、図７の（ａ）に示す視聴予定コンテンツ表示画面において、２／２２（月）の列の上から２番目の番組「おじいちゃんといっしょ」をクリックすると、図７の（ｂ）に示すように、優先度設定画面がポップアップ表示される。
【００６０】
図７の（ｂ）で、番組「おじいちゃんといっしょ」の優先度を「中」から「低」に変更すると、図７の（ｃ）に示すように優先度設定画面の表示が変更される。
【００６１】
次に、上述したアルゴリズムが実行されて、図７の（ｄ）に示すように、視聴予定コンテンツ表示画面における各コンテンツの視聴順序が再配置される。
【００６２】
〔ＴＶ放送コンテンツの録画予約時においてコンテンツの優先度を設定する場合〕
次に、図８に基づき、ＴＶ放送コンテンツの録画予約時においてコンテンツの優先度を設定する場合における優先度設定画面の例について説明する。まず、図８の（ａ）に示す電子番組表（ＥＰＧ）において、録画予約番組として、ＳＢＣ教育番組の列およびＰＭ１時の行の番組「おじいちゃんといっしょ」を選択してクリックすると、図８の（ｂ）に示すように、優先度設定画面がポップアップ表示される（録画予約管理部２６および表示制御部２５によって制御される）。
【００６３】
次に、図８の（ｂ）に示す優先度設定画面において、番組「おじいちゃんといっしょ」の優先度として「高」を選択すると、図８の（ｃ）に示すように優先度設定画面の表示が変更される。これにより、番組「おじいちゃんといっしょ」が優先度「高」で録画予約される（優先度設定部２３による処理）。
【００６４】
〔ＶＯＤコンテンツの視聴予約時においてコンテンツ（配信開始済み）の優先度を設定する場合〕
次に、図９に基づき、ＶＯＤコンテンツの視聴予約時において、コンテンツ（配信開始済み）の優先度を設定する場合について説明する。
【００６５】
まず、図９の（ａ）に示すＶＯＤホーム画面において、人気番組の最も左に配置された番組「ファースト・サムライ」を選択してクリックすると、図９の（ｂ）に示すように、優先度設定画面がポップアップ表示される（視聴予約管理部２７および表示制御部２５によって制御される）。
【００６６】
次に、図９の（ｂ）に示す優先度設定画面において、番組「ファースト・サムライ」の優先度として「中」を選択すると、図９の（ｃ）に示すように優先度設定画面の表示が変更される。これにより、番組「ファースト・サムライ」が優先度「中」で視聴予約される（優先度設定部２３による処理）。
【００６７】
〔ＶＯＤコンテンツの視聴予約時においてコンテンツ（未配信）の優先度を設定する場合〕
次に、図１０に基づき、ＶＯＤコンテンツの視聴予約時において、コンテンツ（未配信）の優先度を設定する場合について説明する。
【００６８】
まず、図１０の（ａ）に示すＶＯＤホーム画面において、間もなく配信予定のタイトルの最も左から２番目に配置された番組「１９世紀中年」を選択してクリックすると、図１０の（ｂ）に示すように、優先度設定画面がポップアップ表示される（視聴予約管理部２７および表示制御部２５によって制御される）。
【００６９】
次に、図１０の（ｂ）に示す優先度設定画面において、番組「１９世紀中年」の優先度として「高」を選択すると、図１０の（ｃ）に示すように優先度設定画面の表示が変更される。これにより、番組「１９世紀中年」が優先度「高」で視聴予約される（優先度設定部２３による処理）。
【００７０】
〔ソフトウェアによる実現例〕
デジタル放送受信機１０の制御ブロック（特に制御部２の視聴可能時間設定部２２、優先度設定部２３、視聴順序決定部２４、表示制御部２５、短縮化処理部２８および判定部２９）は、集積回路（ＩＣチップ）等に形成された論理回路（ハードウェア）によって実現してもよいし、ＣＰＵ（Central Processing Unit）を用いてソフトウェアによって実現してもよい。
【００７１】
後者の場合、デジタル放送受信機１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７２】
〔まとめ〕
本発明の態様１に係る表示制御装置（デジタル放送受信機１０）は、複数のコンテンツのそれぞれに対して設定された優先度と、設定された視聴可能時間とに基づいて、当該視聴可能時間内における上記コンテンツのそれぞれの視聴順序を決定する視聴順序決定部（２４）と、決定された上記視聴順序を表示する表示制御部（２５）と、を備えている構成である。
【００７３】
上記構成によれば、視聴可能時間内におけるコンテンツのそれぞれの視聴順序が、各コンテンツに対して設定された優先度と、ユーザの視聴可能時間とに基づいて決定される。このため、視聴可能時間内において最適な視聴順序を決定することができる。また、上記構成によれば、決定された視聴可能時間内におけるコンテンツのそれぞれの視聴順序が表示される。このため、視聴可能時間内において最適な視聴順序で視聴するコンテンツを提示することができる。
【００７４】
本発明の態様２に係る表示制御装置は、上記態様１において、上記視聴順序決定部は、上記複数のコンテンツのそれぞれが視聴可能となる時期に基づいて、上記視聴可能時間内における上記コンテンツのそれぞれの視聴順序を決定することが好ましい。上記構成によれば、各コンテンツに対して設定された優先度に加えて、各コンテンツが視聴可能となる時期に応じて最適な視聴順序が決定される。
【００７５】
本発明の態様３に係る表示制御装置は、上記態様２において、上記視聴順序決定部は、上記コンテンツの優先度が高いもの程、上記視聴順序を早くし、上記コンテンツの視聴が可能となる時期が早いもの程、上記視聴順序を早くすることが好ましい。上記構成によれば、各コンテンツに対して設定された優先度に加えて、各コンテンツが視聴可能となる時期に応じて最適な視聴順序が決定される。
【００７６】
本発明の態様４に係る表示制御装置は、上記態様１〜３の何れかにおいて、上記複数のコンテンツのそれぞれの長さの合計が、上記視聴可能時間を超えるか否かを判定する判定部（２９）と、上記長さの合計が上記視聴可能時間を超えると判定された場合に、上記視聴可能時間内に収まらない少なくとも１つのコンテンツの長さを短縮化する処理を行う短縮化処理部（２８）と、を備えていることが好ましい。上記構成によれば、視聴可能時間内に収まらない少なくとも１つのコンテンツの長さが短縮化される。このため、複数のコンテンツのそれぞれの長さの合計が、視聴可能時間を超える場合でも、視聴可能時間内にコンテンツのすべてを視聴することが可能になる。
【００７７】
本発明の態様５に係る表示制御装置は、上記態様１〜４の何れかにおいて、上記視聴可能時間を設定する視聴可能時間設定部（２２）を備えていても良い。上記構成によれば、ユーザの所望の視聴可能時間を設定することが可能になる。
【００７８】
本発明の態様６に係る表示制御装置は、上記複数のコンテンツのそれぞれの優先度を設定する優先度設定部（２３）を備えていても良い。上記構成によれば、ユーザが所望の優先度をコンテンツに設定することができる。
【００７９】
本発明の態様７に係るデジタル放送受信機は、上記態様１〜６の何れかの表示制御装置であることが好ましい。上記構成によれば、視聴可能時間内において最適な視聴順序で視聴するコンテンツを提示することができるデジタル放送受信機を提供することができる。
【００８０】
本発明の態様８に係る表示制御装置の制御方法は、複数のコンテンツのそれぞれに対して設定された優先度と、設定された視聴可能時間とに基づいて、当該視聴可能時間内における上記コンテンツのそれぞれの視聴順序を決定する視聴順序決定ステップと、決定された上記視聴順序を表示する表示制御ステップと、を含んでいる方法である。上記方法によれば、上記態様１と同様の効果を得ることができる。
【００８１】
本発明の各態様に係る表示制御装置は、コンピュータによって実現してもよく、この場合には、コンピュータを上記表示制御装置が備える各部（ソフトウェア要素）として動作させることにより上記表示制御装置をコンピュータにて実現させる表示制御装置の制御プログラム、およびそれを記録したコンピュータ読み取り可能な記録媒体も、本発明の範疇に入る。
【００８２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１０    デジタル放送受信機（表示制御装置）
２２    視聴可能時間設定部
２３    優先度設定部
２４    視聴順序決定部
２５    表示制御部
２８    短縮化処理部
２９    判定部
【図１】
2017184066.tif 000003
【図２】
2017184066.tif 000004
【図３】
2017184066.tif 000005
【図４】
2017184066.tif 000006
【図５】
2017184066.tif 000007
【図６】
2017184066.tif 000008
【図７】
2017184066.tif 000009
【図８】
2017184066.tif 000010
【図９】
2017184066.tif 000011
【図１０】
2017184066.tif 000012